(57)【要約】【課題】  周囲温度を検知し、蛍光ランプ温度特性に合わせた始動点灯時の二次電圧を出力してインバータを動作させる回路を得る。これにより、信頼性の向上を図る。【解決手段】  始動点灯時の二次電圧（平滑用コンデンサ３０電圧）を決定しているチョッパ回路２０の制御用ＩＣ２４に、周囲温度を検知する温度センサ２２及びタイマ２３を付加する。  これにより、蛍光ランプの周囲温度が変化しても、蛍光ランプの温度特性に合わせた適切な二次電圧出力を得ることができる。【選択図】    図２
2005079083.tif 000002
【特許請求の範囲】
【請求項１】
交流電源（１０）電圧を整流する整流電源（１１）を備え、整流電源（１１）を昇圧するチョッパ回路（２０）を備え、前記チョッパ回路（２０）はオンオフ動作を繰り返すチョッパ用スイッチング素子（２５）を備え、前記スイッチング素子（２５）のオンオフ動作を制御ならびに始動点灯時の二次電圧を決定する制御用ＩＣ（２４）を備え、前記制御用ＩＣ（２４）に周囲温度の情報を与える温度センサ（２２）を備え、始動点灯時間を設定するタイマ（２３）を備え、前記スイッチング素子（２５）を介して給電を受け電磁エネルギを蓄積するチョッパ用インダクタ（２１）を備え、逆阻止用ダイオード２７を備え、前記チョッパ用インダクタ（２１）から前記逆阻止用ダイオード（２７）を介して電磁エネルギの放出を受け充電する平滑用コンデンサ（３０）を備え、前記平滑用コンデンサ（３０）電圧を検知する抵抗（２８・２９）を備え、周波数可変形の高周波電圧を出力するインバータ（４０）を備え、前記インバータ（４０）は前記平滑用コンデンサ（３０）両端に順直列一対に接続されるスイッチング素子（４２・４３）を備え、前記スイッチング素子（４２・４３）をドライブする制御回路（４１）を備え、前記スイッチング素子（４２・４３）の接続交点に接続されるコンデンサ（４４）・バラスト用インダクタ（４５）・共振用コンデンサ（４６）からなる直列共振回路を備え、前記共振用コンデンサ（４６）に並列接続される蛍光ランプ（４７）を備え、始動点灯時の周囲温度の変化を前記温度センサ（２２）により検知し周囲温度が高いときに始動点灯時における前記平滑用コンデンサ（３０）電圧が低くなるように前記の制御用ＩＣ（２４）を制御することを特徴とする蛍光灯点灯装置。
【発明の詳細な説明】
【技術分野】
【０００１】  本発明は蛍光灯点灯装置に関する。特にその始動回路に関する。
【背景技術】
【０００２】  汎用の従来技術を図１によって説明する。図１は、交流電源１０電圧を整流する整流電源１１を備え、整流電源１１を昇圧するチョッパ回路２０を備え、前記チョッパ回路２０はオンオフ動作を繰り返すチョッパ用スイッチング素子２５を備え、前記スイッチング素子２５のオンオフ動作を制御ならびに始動点灯時の二次電圧を決定する制御用ＩＣ２４を備え、前記スイッチング素子２５を介して給電を受け電磁エネルギを蓄積するチョッパ用インダクタ２１を備え、逆阻止用ダイオード２７を備え、前記チョッパ用インダクタ２１から前記逆阻止用ダイオード２７を介して電磁エネルギの放出を受け充電する平滑用コンデンサ３０を備え、前記平滑用コンデンサ３０電圧を検知する抵抗２８・２９を備える。また、周波数可変形の高周波電圧を出力するインバータ４０を備え、前記インバータ４０は前記平滑用コンデンサ３０両端に順直列一対に接続されるスイッチング素子４２・４３を備え、前記スイッチング素子４２・４３をドライブする制御回路４１を備え、前記スイッチング素子４２・４３の接続交点に接続されるコンデンサ４４、バラスト用インダクタ４５、共振用コンデンサ４６からなる直列共振回路を備え、前記共振用コンデンサ４６に並列接続される蛍光ランプ４７を備える。
従来の技術では、始動点灯時の二次電圧は一定である。蛍光ランプの温度特性上、周囲温度が低温であれば蛍光ランプは点灯しづらく、高温であれば蛍光ランプは点灯しやすい。よって、始動点灯時の二次電圧が一定であれば、蛍光ランプ周囲温度低温時、ランプ寿命特性の低下及び不点灯となる。また、蛍光ランプ周囲温度高温時、始動点灯時の二次電圧は余剰になる。
【発明の開示】
【発明が解決しようとする課題】
【０００３】  本発明は、蛍光ランプ周囲温度低温時に確実に始動動作させることにあり、かつ蛍光ランプ周囲温度高温時には二次電圧を抑制して始動動作させることにある。
【課題を解決するための手段】
【０００４】  始動点灯時の二次電圧を決定するチョッパ回路２０の制御用ＩＣ２４に、温度センサ２２とタイマ２３を付加する。
これにより、始動点灯時の周囲温度の変化を前記温度センサ２２により検知し、その情報を受けた前記制御用ＩＣ２４は蛍光ランプ周囲温度低温時には、設定二次電圧の１００％電圧を出力することができる。また、蛍光ランプ周囲温度高温時には、前記温度センサ２２より情報を受けた前記制御用ＩＣ２４は、設定二次電圧の例えば８０％を出力させる。なお、蛍光ランプ周囲温度検知時間は前記タイマ２３により始動点灯時間、例えば１０秒と設定する。
【発明の効果】
【０００５】  本発明によれば始動点灯時の二次電圧は一定ではなく、蛍光ランプの周囲温度により適切な二次電圧出力が可能であるので、蛍光ランプの寿命特性を向上させることができ、また、回路に使用している部品耐圧性が向上し、インバータの信頼性を向上させることができる。
【発明を実施するための最良の形態】
【０００６】  本発明の実施形態を図２を用いて説明する。図２装置は、交流電源１０電圧を整流する整流電源１１を備え、整流電源１１を昇圧するチョッパ回路２０を備え、前記チョッパ回路２０はオンオフ動作を繰り返すチョッパ用スイッチング素子２５を備え、前記スイッチング素子２５のオンオフ動作を制御ならびに始動点灯時の二次電圧を決定する制御用ＩＣ２４を備え、前記制御用ＩＣ２４に周囲温度の情報を与える温度センサ２２を備え、始動点灯時間を設定するタイマ２３を備え、前記スイッチング素子２５を介して給電を受け電磁エネルギを蓄積するチョッパ用インダクタ２１を備え、逆阻止用ダイオード２７を備え、前記チョッパ用インダクタ２１から前記逆阻止用ダイオード２７を介して電磁エネルギの放出を受け充電する平滑用コンデンサ３０を備え、前記平滑用コンデンサ３０電圧を検知する抵抗２８・２９を備える。また、周波数可変形の高周波電圧を出力するインバータ４０を備え、前記インバータ４０は前記平滑用コンデンサ３０両端に順直列一対に接続されるスイッチング素子４２・４３を備え、前記スイッチング素子４２・４３をドライブする制御回路４１を備え、前記スイッチング素子４２・４３の接続交点に接続されるコンデンサ４４、バラスト用インダクタ４５、共振用コンデンサ４６からなる直列共振回路を備え、前記共振用コンデンサ４６に並列接続される蛍光ランプ４７を備える。【０００７】  この回路において、始動点灯時の二次電圧（平滑用コンデンサ３０電圧）は周囲温度により可変する。周囲温度が低温、例えば−５℃であれば、温度センサ２２が情報をチョッパ回路２０の制御用ＩＣ２４に伝達させ、始動二次電圧を決定する前記制御用ＩＣ２４が設定した二次電圧の１００％を、タイマ２３により決定された時間だけ出力する。一方、周囲温度が高温、例えば＋４０℃であれば、前記温度センサ２２が情報をチョッパ回路２０の制御用ＩＣに伝達させ、始動二次電圧を決定する前期制御用ＩＣ２４が設定した二次電圧の例えば８０％を、タイマ２３により決定された時間だけ出力する。このことにより周囲温度低温時、蛍光ランプの温度特性上の観点から二次電圧が不足となり、ランプ寿命特性の低下及び不点灯になる可能性があったが、充分な二次電圧を供給することができるため、ランプ寿命特性の向上及び確実な点灯が可能である。また、周囲温度高温時、蛍光ランプの温度特性上の観点から二次電圧が余剰に出力されていたが、二次電圧を周囲温度に合わせた適切な出力まで抑制することで、回路に使用されている部品耐圧性を向上させることができる。
【図面の簡単な説明】
【０００８】
【図１】従来の蛍光灯点灯装置の回路図である。
【図２】本発明に係る蛍光灯点灯装置の回路図である。
【符号の説明】
１０：交流電源
１１：整流電源
２０：チョッパ回路
２２：温度センサ
２３：タイマ
４０：インバータ回路
４７：蛍光ランプ
【図１】
2005079083.tif 000003
【図２】
2005079083.tif 000004